(57)【要約】      （修正有）【課題】容器の下部に内容物を（液状体、粘性体）常に溜まる様にし、残量を少なく、また最後まで、使用できるようにしたチューブ容器を提供する。【解決手段】チューブ容器は樽形状の形をして合成樹脂を素材とし、上面、下面に取り出し量の使いわけを可能とする大きさの異なる吐出口１，２を取り付け、キャップ３，４は埋め込み式に構成されている。胴部押圧の時、容器が樽形状のため、弾力性と反発力により中に空気が入り、元の形に戻り、食料品・薬品・化粧品及びその他クリーム状などに幅広く利用できる。【選択図】図１
0003185050.tif 000002
【実用新案登録請求の範囲】
【請求項１】
チューブ容器内の内容物（液体状・粘性体）の重さによって上面部の吐出口、上面部の吐出口の両面どちらでも使用できる特微のあるチューブ容器である。
【請求項２】
チューブ容器は合成樹脂で出来ているので胴部押圧の時、自然に元の形に戻る請求項１のチューブ容器である。
【請求項３】
チューブ容器内の内容物（液体状・粘性体）を常に下部に自然に溜められる様に上面、下面を平面として立てられる様にした請求項１のチューブ容器である。
【請求項４】
チューブ容器の吐出口（小口穴２つ）に複数の分離壁を取り付ける事により内容物を搾り出した時に複数線（液体状・粘性体）として取出せるチューブ容器である。
【請求項５】
チューブ容器に、上面の吐出口と下面の吐出口を設け、複数の分離壁を設ける事により内容物を搾り出した時に複数線（液体状・粘性体）として取出せる大口吐出口（穴１つ）と小口吐出口（穴２つ）の２つの機能を有するチューブ容器である。
【請求項６】
チューブ容器の吐出口（大口穴１つ）の吐出口本体をねじ等の構造体として取り外し出来、内容物を注入することの出来るチューブ容器である。
【請求項７】
チューブ容器のキャップと内容物の仕切り面を内側にお椀形状に取り付け、立てた時、常にキャップの部分に内容物（液体状・粘性体）が溜まるようにし、残量を少なくしたチューブ容器である。
【考案の詳細な説明】
【技術分野】
【０００１】  本考案は、容器内に残る液状体または、粘性体を少なくし、また最後まで使い切るチューブ容器に関するものである。
【背景技術】
【０００２】  従来のチューブ容器では、内容物を絞り出す時、残量が多く残り最後まで使用しきれなかった。その為、経済的にも無駄であり、なかなか解決策がなかった。
【先行技術文献】
【特許文献】
【０００３】
【特許文献１】特開２０１０−８３５１１号公報
【考案の概要】
【考案が解決しようとする課題】
【０００４】  容器の下部に内容物を（液状体、粘性体）常に溜まる様にし、残量を少なく、また最後まで、使用できるようにしたチューブ容器を提供すること。
【課題を解決するための手段】
【０００５】  本考案のチューブ容器は樽形状のチューブ容器に上面、下面に吐出口を取り付けキャップは埋め込みとした、立てて置いておけば内容物（液状体、粘性体）は下部に溜まり最後まで絞りだせ、残量が少なくなる。また胴部押圧の時、容器の（樽形状の形）弾力性と、反発力により中に空気が入る為、元の形に戻るようにした。
【考案の効果】
【０００６】  本考案のチューブ容器は合成樹脂で作られていて、絞り出した時は素材の強度又樽形状の戻りの強さにより樽形状の形に戻る。その為容器内の内容物（液状体、粘性体）は常に下部に溜まるようにする事が出来る。
【考案を実施するための形態】
【０００７】  本考案のチューブ容器については実施例をあげて図面を参照して説明する。
【実施例】
【０００８】  以下、本考案の実施例を図１〜図４に基づいて説明する。【０００９】  図１に示すように本考案のチューブ容器は樽形状の形をして合成樹脂を素材とし、容器内の内容物を上面（吐出口穴２つ）、下面（吐出口穴１つ）に吐出口を取り付けた埋め込み式によって構成されている。
但し下面（吐出口穴１つ）はねじ等の構造体として取り外しが出来る吐出口本体とした。
１と２は吐出口で内容物を取り出す機能と空気を取り入れる働きをする。
３と４はキャップをワンタッチで開閉できる。
５は二つの吐出口の分離壁
６は内容物流動ガイド壁【００１０】  図２に示すように本考案のチューブ容器を押圧した時、内容物は（キャップを開けた状態で）吐出口より流れます。また、上面（吐出口穴２つ）吐出口に複数の分離壁を取り付ける事により内容物を出した時、複数線として絞り出せる。【００１１】  図３に示すように、内容物を吐出口へ流動し易くする内容物流動ガイド壁６を設け、内容物（液状体、粘性体）の残量を最小限に抑える。【００１２】  図１に示す樽形状チューブ容器を押圧した時、円筒形状のチューブ容器より、復元機能（容器形状）がアップした。【００１３】  図４に示すように吐出口（大口）５を１つとした、ねじ等の構造体として取り外しの出来る吐出口本体とした。
【産業上の利用可能性】
【００１４】  本考案のチューブ容器は、立てた時、上部と下部に吐出口を設け内容物が下がる事により使用後，残量を少なくする事が出来るので、食料品・薬品・化粧品及びその他クリーム状などに幅広く利用できる。
【図面の簡単な説明】
【図１】樽形状チューブ容器を説明する為の図である。
【図２】樽形状チューブ容器の胴部を押圧した時の図である。
【図３】樽形状チューブ容器の内容物仕切り壁を説明する為の図である。
【図４】樽形状チューブ容器を上面と下面を反対にした状態の図である。
【符号の説明】１…吐出口（小口２つ）
２…吐出口（大口１つ）
３…キャップＩ
４…キャップＩＩ
５…仕切り分離壁
６…内容物仕切り壁
７…吐出口の本体
【図１】
0003185050.tif 000003
【図２】
0003185050.tif 000004
【図３】
0003185050.tif 000005
【図４】
0003185050.tif 000006
【手続補正書】
【提出日】平成25年5月13日(2013.5.13)
【手続補正１】
【補正対象書類名】実用新案登録請求の範囲
【補正対象項目名】全文
【補正方法】変更
【補正の内容】
【実用新案登録請求の範囲】
【請求項１】
チューブ容器は樽形状をしており、上面及び下面の吐出口がチューブ容器端からとびださない構造になっており、容器を立てた状態で置くことができ、上面及び下面の吐出口のサイズを変えることにより内容物の取り出し量の使い分けが出来ることを特微とするチューブ容器。
【請求項２】
チューブ容器は合成樹脂で出来ているので胴部押圧の時、自然に元の形に戻ることが出来ることを特微とする請求項１記載のチューブ容器。
【請求項３】
チューブ容器内の内容物を常に下部に自然に溜められる様に上面、下面を平面として立てることが出来ることを特微とする請求項１記載のチューブ容器。
【請求項４】
チューブ容器の吐出口を２つ穴にして、複数の分離壁を取り付ける事により内容物を搾り出した時に複数線として取出すことが出来ることを特微とする請求項１記載のチューブ容器。
【請求項５】
チューブ容器に、上面の吐出口と下面の吐出口を設けて、両面使用できる機能を有することを特微とする請求項１記載のチューブ容器。
【請求項６】
チューブ容器の１個ある吐出口の本体をねじ等の構造体として取り外し出来て、内容物を注入することが出来ることを特微とする請求項１記載のチューブ容器。
【請求項７】
チューブ容器の吐出口の本体と容器内側にお椀形状の仕切壁を上面部分と下面部分に設け、容器を立てた時、常にキャップの部分に内容物が溜まるようにし、残量を少なくすることを特微とする請求項１記載のチューブ容器。